(57)【要約】【課題】トラップ装置の左右幅の増加を抑えた便器装置を提供する。【解決手段】本発明は、トラップ筒２１の下流側の端部２３が自由端であり、トラップ筒２１の外周において上側の部分２１ａと下側の部分２１ｂとで伸縮量を異ならせて下流側の端部２３を上下に回動させる駆動機構部３０を設け、駆動機構部３０は、長尺で且つ屈曲性を有する被駆動部材３４を、ケース２５内に備え、被駆動部材３４は、その長さ方向の一端側が下流側の端部２３の外周下部に連結され、長さ方向の他端側がトラップ筒２１の上流側の下方位置でガイドされることで、トラップ筒２１に沿って伸縮自在であり、トラップ筒２１は、被駆動部材３４が伸長することで、下流側の端部２３を上方に向けた姿勢となり、被駆動部材３４が収縮することで、下流側の端部２３を後下方或いは後方に向けた姿勢となるよう構成される。【選択図】図１
2014205991.tif 000002
【特許請求の範囲】
【請求項１】
筒状でその軸芯に沿って長さを有し且つ可撓性を有したトラップ筒を、外部の排水口に連通するケース内に設けた便器装置であって、
前記トラップ筒は、その下流側の端部が自由端であり、
前記トラップ筒の外周においてその上側の部分と下側の部分とで伸縮量を異ならせて前記下流側の端部を上下に回動させる駆動機構部を設け、
前記駆動機構部は、長尺で且つ屈曲性を有する被駆動部材を、その長さ方向に伸縮自在で前記ケース内に備え、
前記被駆動部材は、その長さ方向の一端側が前記下流側の端部の外周下部に連結され、前記長さ方向の反対の一端側が前記トラップ筒の上流側の下方位置でガイドされることで、前記トラップ筒に沿って伸縮自在であり、
前記トラップ筒は、前記被駆動部材が伸長することで、前記下流側の端部の開口を上方に向けた姿勢となり、前記被駆動部材が収縮することで、前記下流側の端部の開口を後下方或いは後方に向けた姿勢となるよう構成されることを特徴とする便器装置。
【請求項２】
前記トラップ筒は、蛇腹の筒状体であることを特徴とする請求項１記載の便器装置。
【請求項３】
前記駆動機構部は、前記被駆動部材をその長さ方向に揺動させて前記被駆動部材の前記ケース内に位置する部位を伸縮させる駆動部を備えることを特徴とする請求項１または２記載の便器装置。
【発明の詳細な説明】
【技術分野】
【０００１】
本発明は、便器装置に関するものである。
【背景技術】
【０００２】
従来から、蛇腹状の筒状体で形成したトラップを、トラップケース内に配置した便器装置がある（特許文献１等参照）。この便器装置では、トラップの下流側開口部を上下に回動させる回動機構が、トラップケースの側壁に設けられている。
【先行技術文献】
【特許文献】
【０００３】
【特許文献１】特開２０１３−２３９２０号公報
【発明の概要】
【発明が解決しようとする課題】
【０００４】
そして、特許文献１等の従来の便器装置では、回動機構をトラップケースの側壁に備えるため、回動機構を含むトラップケースの左右幅（トラップ装置の左右幅）が大きくなり易い。このため、従来の便器装置は、トラップ装置を配置する便器本体後部の外形が大きくなったり、洗浄水用の薬剤タンク等の周辺機器をトラップ装置の側方に配置し難くなったり等することがある。
【０００５】
そこで、本発明は、上記従来の問題点に鑑みて発明したもので、その目的とするところは、トラップ装置の左右幅の増加（左右方向における大型化）を抑制した便器装置を提供することにある。
【課題を解決するための手段】
【０００６】
上記課題を解決するために、本発明は、筒状でその軸芯に沿って長さを有し且つ可撓性を有したトラップ筒を、外部の排水口に連通するケース内に設けた便器装置であって、前記トラップ筒は、その下流側の端部が自由端であり、前記トラップ筒の外周においてその上側の部分と下側の部分とで伸縮量を異ならせて前記下流側の端部を上下に回動させる駆動機構部を設け、前記駆動機構部は、長尺で且つ屈曲性を有する被駆動部材を、その長さ方向に伸縮自在で前記ケース内に備え、前記被駆動部材は、その長さ方向の一端側が前記下流側の端部の外周下部に連結され、前記長さ方向の反対の一端側が前記トラップ筒の上流側の下方位置でガイドされることで、前記トラップ筒に沿って伸縮自在であり、前記トラップ筒は、前記被駆動部材が伸長することで、前記下流側の端部の開口を上方に向けた姿勢となり、前記被駆動部材が収縮することで、前記下流側の端部の開口を後下方或いは後方に向けた姿勢となるよう構成されることを特徴とする。
【０００７】
この便器装置として、前記トラップ筒は、蛇腹の筒状体であることが好ましい。
【０００８】
この便器装置として、前記駆動機構部は、前記被駆動部材をその長さ方向に揺動させて前記被駆動部材の前記ケース内に位置する部位を伸縮させる駆動部を備えることが好ましい。
【発明の効果】
【０００９】
本発明は、前記構成を具備したことで、トラップ筒の側方に、トラップ筒回転用の部材等を配置せずに済む構成にし易くすることができる。これによって、本発明は、左右方向におけるトラップ装置の大型化を抑制することができる。
【図面の簡単な説明】
【００１０】
【図１】便器装置のトラップ装置の側断面図である。
【図２】トラップ装置の斜視図である。
【図３】ケースの上蓋を取り外した状態のトラップ装置の平面図である。
【図４】トラップ筒及び駆動機構部の構成説明図である。
【図５】トラップ装置の動作説明図であり、（ａ）は封水状態であり、（ｂ）は状態切替途中の状態であり、（ｃ）は排水状態である。
【図６】便器本体の斜視図である。
【図７】トラップ装置の一部及び外殻を切断した状態の便器本体の側面図である。
【発明を実施するための形態】
【００１１】
以下、本発明を添付図面に基づいて説明する。本実施形態の便器装置は、使用者が着座して使用する椅子型の便器、所謂洋式便器である。便器装置は、図６に示すように、ボウル部７を有した便器本体１と、ボウル部７の上方に載置可能な便座（図示せず）及び便蓋（図示せず）とを備える。便器本体１は、例えばトイレルーム等の床に固定される。また、前記便座及び前記便蓋は、便器本体１上の一端部に枢支される。
【００１２】
以下、前後方向は、利用者が便器装置に着座した状態から視た方向で定義する。すなわち、以下の説明では、便器装置を床に設置した状態の平面視を基準として、便座に着座した利用者から視て前側を前方、後側を後方とし、前後方向に交差する左右方向を側方とする。このため、前記便座及び前記便蓋は、便器本体１の後端部に枢支される。
【００１３】
便器本体１は、図７に示すように、ボウル部７を有する外殻３と、外殻３を支持するフレーム２と、ボウル部７に給水するよう構成される給水経路１３と、ボウル部７の水や汚物等を排出するよう構成される排水経路１４と、機能部（図示せず）とを備える。
【００１４】
フレーム２は、例えば金属製となっている。フレーム２はトイレの床に載置固定される。フレーム２には、外殻３が取り付けられる。外殻３は、例えば合成樹脂製となっている。そして、外殻３は、前部を構成する前パーツ４と、後部を構成する後パーツ９とを有する。
【００１５】
前パーツ４は、上方に開口するボウル部７と、ボウル部７の上縁部から外周側に突出して形成されたリム部６と、ボウル部７の外側を覆うスカート部５とを有する。そして、ボウル部７、リム部６、及びスカート部５は、溶着等によって接続されており、前パーツ４は、フレーム２に、ボルト等を用いて取り付けられる。
【００１６】
言い換えると、ボウル部７は、前パーツ４で形成される。ボウル部７は、便器本体１の前部に設けられる。また、ボウル部７は、上方に開口した椀状に形成される。そして、ボウル部７は、その底部後方に、排水筒８を有する。排水筒８は、後方に突出して形成される。
【００１７】
後パーツ９は、給水経路１３、排水経路１４、及び前記後部を覆うよう構成される。後パーツ９は、左右両側の横カバー１０と、外殻３の背面を構成する後カバー１１と、前記後部において前パーツ４よりも上方に突出した箱状の上カバー１２とを有する。後カバー１１及び横カバー１０は、フレーム２の後部に着脱自在に取り付けられる。
【００１８】
上カバー１２は、フレーム２の後部の上方に着脱自在に取り付けられる。そして、上カバー１２は、その内部に、前記機能部が収納される。言い換えると、上カバー１２は、前記機能部を覆うよう構成される。この機能部としては、例えば、給水経路１３の止水ユニット（図示せず）や、排水経路１４のトラップ装置２０（詳細は後述する）の制御部２９（図４参照）等となっている。なお、前記機能部は、制御部２９の他に、局部洗浄装置や脱臭装置等を有してもよい。
【００１９】
給水経路１３は、その上流端を外部の水道管等の給水源（図示せず）に接続することで、この給水源から水が供給されるよう構成される。そして、給水経路１３は、その下流端が、ボウル部７の上端部に開口して設けてある。このため、給水経路１３は、前記給水源からの水をボウル部７に供給する（吐出する）よう構成される。
【００２０】
これによって、便器本体１は、例えば、この水をボウル部７に溜めたり、この水でボウル部７内面を洗浄したり、この水でボウル部７内の水や汚物等を排水経路１４に流動させたりすることができる。更に、給水経路１３には、前記止水ユニットが設けてあり、給水経路１３は、この止水ユニットによって、通水と止水とが切り替わるよう構成される。
【００２１】
排水経路１４は、その上流端が、排水筒８の下流端に連通接続される。そして、排水経路１４は、その下流端が、前記床に設けた排水口（図示せず）に連通接続される。このため、排水経路１４は、ボウル部７（排水筒８）と前記排水口との間に設けてある。そして、排水経路１４には、前記排水口からの臭気等の逆流防止用に、トラップ装置２０が設けてある。
【００２２】
トラップ装置２０は、図１乃至図３に示すように、可撓性を有した筒状のトラップ筒２１と、トラップ筒２１を上下に回転させる駆動部３１と、トラップ筒２１を収納したケース２５と、駆動機構部３０の駆動を制御する制御部２９（図４参照）とを備える。
【００２３】
ケース２５は、箱状に形成されており、ケース２５は、その内部空間が、排水経路１４の一部となっている。言い換えると、ケース２５は、便器本体１の外殻３より内側に配置されており、排水経路１４の一部を形成するよう構成される。
【００２４】
ケース２５は、その箱の上部が、メンテナンス用に脱着可能な上蓋となっている。ケース２５は、その底部に、下方に貫通した排水路２６が設けてある。排水路２６の下端は、前記排水口に連通接続される。このため、ケース２５は、その内部が、排水路２６を介して、前記排水口に連通する構成となっている。そして、本実施形態では、例えばケース２５と前記排水口との接続部位にシール構造を設ける等で、排水路２６や前記排水口の水や臭気等が前記接続部位等からケース２５の外面と外殻３との間の空間等に漏れ出ることを抑制している。
【００２５】
また、ケース２５の前壁には、開口部２７が設けられている。開口部２７は、前後に貫通して（ケース２５内外を貫通して）形成される。そして、開口部２７には、トラップ筒２１（詳細は後述する）の上流側が固定される。
【００２６】
トラップ筒２１は、その軸心に沿った方向（軸方向）において、伸縮自在となっている。そして、図５に示すように、トラップ筒２１は、その軸心を直線状の状態と屈曲した状態とに変形可能となっている。言い換えると、トラップ筒２１は、直線状の状態を基準とした上側の部分２１ａと下側の部分２１ｂとで、異なる長さ（伸縮量）で伸縮するよう構成される。トラップ筒２１は、例えば、蛇腹形状の筒状の部材（所謂筒状体）等で形成されることが好ましく、本実施形態では、図４に示すように、例えば、蛇腹形状の円筒状に構成される。
【００２７】
更に、図１に示すように、トラップ筒２１は、上流側を開口部２７に挿通した状態で、ケース２５の前壁に固定される。そして、トラップ筒２１は、上流側の端部の開口（上流側開口）が、排水筒８に連通接続される。このため、トラップ筒２１は、上流側の端部が所謂固定端となっている。
【００２８】
また、トラップ筒２１は、下流側の端部２３が、駆動機構部３０からの駆動によって上下に回動自在となっている。そして、下流側の端部２３の開口（下流側開口）は、ケース２５内に開口する（開放して設けてある）。このため、トラップ筒２１は、下流側の端部２３が所謂自由端になっている。言い換えると、トラップ筒２１は、ケース２５内において、駆動機構部３０の駆動によって上下に回転自在に配置される。
【００２９】
駆動機構部３０は、図４に示すように、駆動部３１と、駆動部３１に駆動される被駆動部材３４と、下流側の端部２３に取り付けられた保持部３５とを備える。
【００３０】
駆動部３１は、図１に示すように、開口部２７より下方で且つケース２５の前壁より後方に配置される。駆動部３１は、例えば、モータ３２（駆動源）と、モータ３２の駆動を被駆動部材３４に伝達する出力部材３３とを有する。モータ３２は、ケース２５の左右外方に設けられる。そして、モータ３２は、ケース２５の前下方側、好ましくは開口部２１近傍（後方）で開口部２１より下方に設けられる。モータ３２の出力軸は、ケース２５に貫通して設けてあり、この出力軸の先端部が、ケース２５内に臨んで配置される。出力部材３３は、前記出力軸の先端部に設けてある。このため、出力部材３３は、ケース２５内に配置される。
【００３１】
被駆動部材３４は、例えば、左右に幅（左右幅）を有し且つ前後に長さ（前後長）を有した板状に形成されており、前後長が左右幅に比べて長尺な帯状となっている。言い換えると、被駆動部材３４は、前後に長尺な帯状部材で形成される。
【００３２】
被駆動部材３４は、前端が開口部２１より下方に配置される。言い換えると、被駆動部材３４は、出力部材３３より前方の部位が、トラップ筒２１の上流側（上流端側）の下方位置に配置される。そして、被駆動部材３４は、屈曲性を有しており、上下方向に屈曲自在となっている。
【００３３】
被駆動部材３４は、帯の下面（下方側を向く板面）で、駆動部３１の駆動を受けるよう構成される。そして、被駆動部材３４は、駆動部３１の駆動を受けることで、帯の長手方向（長さ方向）に揺動する（スライド移動する）よう構成される。言い換えると、被駆動部材３４は、駆動部３１によって、長さ方向に揺動自在（スライド移動自在）で設けてある。
【００３４】
なお、被駆動部材３４が駆動部３１の駆動を受ける構成としては、例えば、出力部材３３と被駆動部材３４の下面との間に生じる摩擦力を用いて駆動を伝達するもの等がある。例えば、摩擦力を用いる構成としては、出力部材３３を歯車とし被駆動部材３４の下面に前記歯車に噛み合う歯部を設けた所謂ラックピニオンとした構成が好ましいが、ラックピニオンに限らず、適宜設定可能である。
【００３５】
また、出力部材３３は、被駆動部材３４との接触部位が、被駆動部材３４の前端の下面より上方に配置される。このため、被駆動部材３４は、後方上向きに湾曲した状態（屈曲した状態）で、出力部材３３に接触する。
【００３６】
言い換えると、出力部材３３は、揺動時に被駆動部材３４をガイドするガイド部となっている。このガイド部は、トラップ筒２１の上流側の下方位置（上流側の部分より下方）に設けてある。そして、前記ガイド部は、開口部２７より後方に配置される。
【００３７】
被駆動部材３４は、側面視において、図４や図５（ａ）に示すような後端３４ａが開口部２１より上方に位置する第１位置と、図５（ｃ）に示すような後端３４ａが開口部２１よりやや下方に位置する第２位置との間で、屈曲しながら揺動するよう構成される。なお、駆動部材３４の後端３４ａがやや下方に位置する状態とは、例えば、後端３４ａにおいて外周の下側の部分２１ｂが開口部２１の下端よりやや下方に位置して、後端３４ａの開口が開口部２１に対して平行より少し下向きに傾いた状態となっている。更に、被駆動部材３４の後端３４ａは、例えば、第１位置で第２位置より後方に位置する。
【００３８】
そして、第１位置において、被駆動部材３４は、ケース２５内に位置する部位（以下、ケース２５内の部位とする）が、後端３４ａを後方上向きとした状態で、トラップ筒２１の下方に湾曲して配置される。言い換えると、被駆動部材３４は、後端３４ａが第１位置に位置する状態（第１位置の状態）において、ケース２５内の部位が、後下方に凸で湾曲した状態（後下方に凸の曲線状の状態）となる。
【００３９】
第２位置において、被駆動部材３４のケース２５内の部位は、その途中で後端３４ａ側を下向きに湾曲して配置される。言い換えると、被駆動部材３４は、後端３４ａが第２位置に位置する状態（第２位置の状態）において、ケース２５内の部位が、側面視山形の状態（上方に凸の曲線状の状態）となる。なお、第２位置の状態において、ケース２５内の部位は、前後方向に沿った直線状や、第２位置の状態に比べて緩やかな曲線状等であってもよい。
【００４０】
このように、被駆動部材３４は、後退時に後端３４ａを上方に移動させ、前進時に後端３４ａを下方に移動させながら、前後（帯の長手方向）に揺動自在となっている。言い換えると、被駆動部材３４は、後端３４ａが第１位置において最も上方に位置し、第２位置において最も前方（下前方）に位置するように、上下方向に屈曲しながら、長手方向（長さ方向）に揺動する構成となっている。
【００４１】
このため、被駆動部材３４は、駆動部３１の駆動によって揺動することで、ケース２５内の部位の長さが変化するよう構成される。言い換えると、被駆動部材３４は、揺動によって、上下方向に屈曲しながら、ケース２５内の部位が長手方向（長さ方向）に伸縮するよう構成される。
【００４２】
保持部３５は、図４に示すように、トラップ筒２１の下流側の端部２３の外周に固定される。保持部３５は、例えば、円環状に形成される。保持部３５は、その内径が、トラップ筒２１の下流側の端部２３の外径と同寸となっている。そして、保持部３５は、トラップ筒２１の下流側の端部２３に同心で固定される。言い換えると、保持部３５は、トラップ筒２１の下流側の端部２３の外周（筒の外周面）を覆うように、下流側の端部２３に取り付けられる。
【００４３】
また、保持部３５は、軸心が前後方向と平行に位置する姿勢（状態）において、円環の下端（円環の最下部）に、突出部を有する。前記突出部は、前記平行に位置する姿勢において、円環から下方に突出して形成される。言い換えると、前記突出部は、円環から径外方向に突出して形成される。そして、前記突出部には、被駆動部材３４の後端３４ａが固定される。
【００４４】
このため、保持部３５は、被駆動部材３４の揺動に伴い、被駆動部材３４の後端３４ａの描く軌跡（揺動軌跡）に沿って移動するよう構成される。言い換えると、被駆動部材３４は、保持部３５を伴って揺動するよう構成される。
【００４５】
そして、保持部３５は、トラップ筒２１の下流側の端部２３に固定されるため、被駆動部材３４による前記移動時に、トラップ筒２１を伴って移動する。言い換えると、被駆動部材３４は、保持部３５を介してトラップ筒２１の下流側の端部２３に連結・保持されるため、揺動時にトラップ筒２１の下流側の端部２３を移動させるよう構成される。
【００４６】
このため、トラップ筒２１は、その軸心が、第１位置の状態で、後下方に凸の曲線状の状態となり、第２位置の状態で、前後方向に沿った直線状の状態または上方に凸の曲線状等となる。言い換えると、トラップ筒２１は、第１位置の状態で、下流側の端部２３の開口（下流側開口）を上向きにした状態（姿勢）となり、第２位置の状態で、下流側の端部２３の開口（下流側開口）を後向きまたは後方下向きにした状態（姿勢）となる。
【００４７】
以下、第２位置の状態の前記後向きまたは後方下向きの記載において、この姿勢における向き（後向きまたは後方下向き）を特に区別しない場合、その向きを、単に、後向きと記載し、その姿勢を、単に、後向きの姿勢と記載する。言い換えると、以下の説明において、特に区別しない場合、後向きは、後方下向きを含む。
【００４８】
トラップ筒２１は、下流側の端部２３の向きを上向きと後向きとに切り替える動作が、下流側の端部２３を上下に回動させる動作（回転動作）となっている。言い換えると、駆動部３１は、被駆動部材３４及び保持部３５を介して、トラップ筒２１を上下に回転させる構成となっている。
【００４９】
そして、側面視において、トラップ筒２１の外周の部分は、上側の部分２１ａを伸長し、下側の部分２１ｂを収縮して、上向きの姿勢から後向きの姿勢に切り替わる。そして、側面視において、トラップ筒２１の外周の部分は、上側の部分２１ａを収縮し、下側の部分２１ｂを伸長して、後向きの姿勢から上向きの姿勢に切り替わる。言い換えると、トラップ筒２１は、その外周における上下一方側の部分で蛇腹を広げ、他方側の部分で蛇腹を折り畳み、下流側の端部２３を上下に回動させるよう構成される。
【００５０】
更に、便器装置は、トラップ筒２１を上向きの姿勢とすることで、トラップ筒２１及びボウル部７に水を溜めることが可能な状態（溜水可能状態）となる。そして、便器装置は、溜水可能状態で溜めた水によって、前記排水口からの臭気のボウル部７側への流入（逆流）を抑制することができる。更に、便器装置は、トラップ筒２１を後向きの姿勢とすることで、トラップ筒２１及びボウル部７の水や汚物等を排水路２６に排出可能な状態（排水可能状態）となる。
【００５１】
このように、トラップ筒２１は、駆動機構部３０の駆動によって、下流側の端部２３が上下に回動することで、上向きの姿勢と後向きの姿勢とを切替自在となっている。そして、トラップ筒２１は、上向きの姿勢が、下流側開口を上方に向けた溜水姿勢（封水姿勢）となっており、後向きの姿勢が、下流側開口を下方に向けた排水姿勢となっている。言い換えると、トラップ装置２０は、トラップ筒２１の上下の回転（伸縮）によって、トラップ筒２１を溜水姿勢とした溜水可能状態（封水状態）と、トラップ筒２１を排水姿勢とした排水可能状態（排水状態）とに切替自在となっている。
【００５２】
更に、トラップ筒２１は、封水姿勢や排水姿勢や両姿勢の切替時に、被駆動部材３４によって、下流側の端部２３を介して下方側から支持される。言い換えると、被駆動部材３４は、保持部３５を介して、下流側の端部２３でトラップ筒２１の姿勢を保持するよう構成される。そして、被駆動部材３４は、例えば、金属製が好ましいが、封水姿勢で水を溜めた状態及びこの状態から排水姿勢に切り替える時にトラップ筒２１を支持可能な強度を有すれば、金属製に限らない。
【００５３】
また、ケース２５の前壁には、収納部２８が設けてある。収納部２８は、ケース２５の前壁から前方に突出して設けてある。収納部２８は、前後方向において、ケース２５の出力部材３３と重なる高さ位置に設けてあり、出力部材３３より前方に形成される。そして、収納部２８は、前壁の下端部に形成される。
【００５４】
また、収納部２８は、前後方向に軸心を有した管状に形成されており、管の前端が閉塞された構成となっている。言い換えると、収納部２８は、前方に底を有した有底管状となっている。そして、収納部２８は、管の後端がケース２５の前壁に開口しており、収納部２８は、この後端を介して、ケース２５のトラップ筒２１を収納した空間に連通する。言い換えると、ケース２５は、前壁の開口部２７の下方位置（前壁の下部）に、収納部２８を備える。
【００５５】
収納部２８には、被駆動部材３４の一部を収納可能となっている。言い換えると、収納部２８は、被駆動部材３４の出力部材３３より前方の部位（より詳しくは、被駆動部材３４の開口部２７より前方の部位）を収納するよう構成される。そして、被駆動部材３４は、揺動に伴い、前記前方の部位の前後長（収納部２８に収容される範囲）が変動するものとなっている。
【００５６】
このように、本実施形態の便器装置は、外部の前記排水口に連通するケース２５内に、可撓性を有したトラップ筒２１が設けてある。トラップ筒２１は、筒状で、その軸心に沿って長さを有する。トラップ筒２１は、その下流側の端部２３が自由端となっている。
【００５７】
便器装置は、駆動機構部３０が設けてある。駆動機構部３０は、トラップ筒２１の外周においてその上側の部分２１ａと下側の部分２１ｂとで伸縮量を異ならせて下流側の端部２３を上下に回動させるよう構成される。駆動機構部３０は、長尺で且つ屈曲性を有する被駆動部材３４を、その長さ方向に伸縮自在でケース２５内に備える。
【００５８】
被駆動部材３４は、その長さ方向の一端側が下流側の端部２３の外周下部に連結され、長さ方向の反対の一端側（他端側）がトラップ筒２１の上流側の下方位置でガイドされる。これによって、被駆動部材３４は、トラップ筒２１に沿って伸縮自在となっている。
【００５９】
トラップ筒２１は、被駆動部材３４が伸長することで、下流側の端部２３の開口を上方に向けた姿勢となり、被駆動部材３４が収縮することで、下流側の端部２３の開口を後方に向けた姿勢（後下方に向けた姿勢を含む）となるよう構成される。
【００６０】
このため、本実施形態では、トラップ筒２１の側方に、トラップ筒２１回転用の部材等を配置せずに済む構成にし易くすることができる。言い換えると、本実施形態では、トラップ筒２１の側方に前記部材等を設ける場合に比べて、トラップ筒２１の側方におけるトラップ装置２０に必要な空間（領域）を狭めた構成にし易くすることができる。これによって、本実施形態では、便器本体１において、左右方向におけるトラップ装置２０の大型化を抑制することができる。
【００６１】
更に、本実施形態では、被駆動部材３４の出力部材３３より前方に位置する部位等を、ボウル部７より下方（ボウル部７の下方位置）に配置することができる。これによって、本実施形態では、被駆動部材３４の前記部位等を、ボウル部７や局部洗浄装置等の周辺機器等に干渉し難くすることができて、便器本体１の大型化を抑制した構成を提供し易くすることができる。
【００６２】
また、本実施形態では、トラップ筒２１に蛇腹形状のもの（蛇腹の筒状体）を用いたことで、簡素な構成でトラップ筒２１を軸方向に伸縮し易くすることができる。
【００６３】
また、本実施形態では、駆動機構部３０が、被駆動部材３４をその長さ方向に揺動させて被駆動部材３４のケース２５内に位置する部位を伸縮させる駆動部３１を備える。このため、本実施形態では、例えば、駆動部３１や被駆動部材３４をトラップ筒２１より下方（トラップ筒２１の下方位置）に配置することができる等で、トラップ装置２０の左右幅の増加（大型化）を抑制することができる。
【００６４】
また、本実施形態では、ケース２５に収納部２８を設けることで、被駆動部材３４の前記前方の部位をケース２５外に露出させずに揺動させることができる。このため、本実施形態では、揺動する被駆動部材３４（前記前方の部位）とケース２５との間に止水構造や防臭構造等を設けなくても、前記間等からの水や臭気等の漏れを抑制することができる。言い換えると、本実施形態では、収納部２８を含むケース２５内（ケース２５で区画された空間内）で被駆動部材３４を揺動させるため、簡素な構成で、駆動機構部３０を介した水や臭気等の漏れを抑制することができる。
【００６５】
更に、本実施形態では、収納部２８を開口部２７（トラップ筒２１の上流側の端部）より下方に設け、被駆動部材３４の前記前方の部位を前後方向に沿った直線状で収納部２８に収納するよう構成される。言い換えると、本実施形態では、前後方向に沿った直線状に収納空間を有した収納部２８を、開口部２７（トラップ筒２１の上流側の端部）の下方位置に備える。このため、本実施形態では、被駆動部材３４を湾曲した状態（曲線状）で収納する場合に比べて、前記前方の部位（収納部２８）をボウル部７等に干渉し難くすることができる。これによって、本実施形態では、便器本体１の大型化を抑制した構成を提供し易くすることができる。
【００６６】
なお、本発明は、前述の実施形態の構成のみに限定されるものではなく、本発明の意図する範囲内であれば、適宜の設計変更を行うことが可能である。例えば、便器装置は、床に設けた前記排水口に水等を排出する所謂床排水型に限らず、建物の壁面に設けた排水口に水等を排出する所謂壁排水型であってもよい。
【符号の説明】
【００６７】
１  便器本体
２  フレーム
３  外殻
７  ボウル部
８  排水筒
１３  給水経路
１４  排水経路
２０  トラップ装置
２１  トラップ筒
２１ａ  上側の部分
２１ｂ  下側の部分
２３  下流側の端部
２５  ケース
２７  開口部
２８  収納部
３０  駆動機構部
３１  駆動部
３２  モータ
３３  出力部材
３４  被駆動部材
３４ａ  被駆動部材の後端
３５  保持部
【図１】
2014205991.tif 000003
【図２】
2014205991.tif 000004
【図３】
2014205991.tif 000005
【図４】
2014205991.tif 000006
【図５】
2014205991.tif 000007
【図６】
2014205991.tif 000008
【図７】
2014205991.tif 000009